(57)【要約】      （修正有）【課題】小売店内の販売スペースにおいて、消費者・需要者が筆記具を手に取りデザイン・商標の確認、書き味の試し書き等をして後、再び元の位置に戻すときに、これをどのように戻しても必ず筆記具が垂直に直立できる筆記具展示用什器を提供する。【解決手段】上方の筆記具保持部を前面下方に向けて傾斜した保持板１に穿設した楕円形の透孔２により構成し、下方の筆記具保持部を、前記上方の筆記具保持部の下方に配した水平の保持板３に穿設した小径部４′と大径部４″とを連続させた透孔４として構成したことを特徴とする。【選択図】図１
0003151365.tif 000002
【実用新案登録請求の範囲】
【請求項１】
上方の筆記具保持部を前面下方に向けて傾斜した保持板１に穿設した楕円形の透孔２により構成し、下方の筆記具保持部を、前記上方の筆記具保持部の下方に配した水平の保持板３に穿設した小径部４′と大径部４″とを連続させた透孔４として構成したことを特徴とする筆記具展示用什器。
【考案の詳細な説明】
【技術分野】
【０００１】
本考案は、筆記具展示用什器に関するものであり、特に小売店内の販売スペースにおいて、消費者・需要者がこれら筆記具を手に取りデザイン・商標の確認、書き味の試し書き等をして後、再び元の位置に戻すときにこれをどのように戻しても必ず筆記具が垂直に直立できるようになした筆記具展示用什器に関するものである。
【背景技術】
【０００２】
従来、筆記具展示用什器としては、特許文献１及び特許文献２に示すように複数本の筆記具を纏めて一つのスペース内に収容して展示するものと、特許文献３に示すように上方の孔により筆記具の胴部を保持し、下方の孔により筆記具の先端部を保持するものがある。
【０００３】
しかし、特許文献１及び特許文献２のものにあっては、消費者・需要者がこれら筆記具を手に取りデザイン・商標の確認、書き味の試し書き等をして後、再び元の位置に戻したとき、満杯に筆記具が入っているときには直立して整列しているが、これが１本でも少なくなっていると、筆記具が傾き見栄えがきわめて悪くなり、購買意欲をそぐ結果ともなる。また特許文献３のものでは、消費者・需要者がこれら筆記具を手に取りデザイン・商標の確認、書き味の試し書き等をして後、再び元の位置に戻したとき、筆記具の先端が先窄み筒部１０ａ２に当接してしまい、その先端部を傷つけるという問題点がある。
【０００４】
そこで、本考案は、上方の筆記具保持部及び下方の筆記具保持部を透孔とし、しかも、上方の筆記具保持部を前面下方に向けて傾斜した保持板に穿設した楕円形の透孔により構成し、下方の筆記具保持部を水平の保持板に穿設した小径部と大径部とを連続させた透孔として構成することにより、消費者・需要者がこれら筆記具を手に取りデザイン・商標の確認、書き味の試し書き等をして後、再び元の位置に戻したとき、筆記具の先端が下方の筆記具保持部の小径部に入った後、必ず大径部に移動するようになすことができ、筆記具の先端を傷つけることなく、常に垂直に直立するように保持することができるものである。
【先行技術文献】
【特許文献】
【０００５】
【特許文献１】特開平７−３０３５５０号公報
【特許文献２】特開平８−２８２６５４号公報
【特許文献３】特開２００４−１３０６２６号公報
【考案の概要】
【考案が解決しようとする課題】
【０００６】
本考案は上記の点に鑑みなされたものであって、上方の筆記具保持部及び下方の筆記具保持部を透孔とし、しかも、上方の筆記具保持部を前面下方に向けて傾斜した保持板に穿設した楕円形の透孔により構成し、水平の保持板に穿設した下方の透孔の形状を小径部と大径部とを連続させた透孔として構成することにより、消費者・需要者がこれら筆記具を手に取りデザイン・商標の確認、書き味の試し書き等をして後、再び元の位置に戻したとき、筆記具の先端が下方の筆記具保持部の小径部に入った後、必ず大径部に移動するようになすことができ、筆記具の先端部を傷つけることなく、常に垂直に直立するように保持することができるものである。
【課題を解決するための手段】
【０００７】
而して、本考案筆記具展示用什器の要旨とするところは、上方の筆記具保持部を前面下方に向けて傾斜した保持板に穿設した楕円形の透孔により構成し、下方の筆記具保持部を、前記上方の筆記具保持部の下方に配した水平の保持板に穿設した小径部と大径部とを連続させた透孔として構成したことにある。
【考案の効果】
【０００８】
本考案は、上記の如き構成であるから、上方の筆記具保持部及び下方の筆記具保持部を透孔とし、しかも、上方の筆記具保持部を前面下方に向けて傾斜した保持板に穿設した楕円形の透孔により構成し、水平の保持板に穿設した下方の透孔の形状を小径部と大径部とを連続させた透孔として構成することにより、消費者・需要者がこれら筆記具を手に取りデザイン・商標の確認、書き味の試し書き等をして後、再び元の位置に戻したとき、筆記具の先端が小径部に入った後、必ず大径部に移動するようになすことができ、筆記具の先端部を傷つけることなく、常に垂直に直立するように保持することができるものである。
【図面の簡単な説明】
【０００９】
【図１】本考案の実施形態に係る筆記具展示用什器の斜視図である。
【図２】本考案の実施形態に係る筆記具展示用什器の使用状態を示す斜視図であり、右側の筆記具５は消費者・需要者が小径部にその先端部を挿入した場合を示し、左側の筆記具５はこれが大径部へ移動して直立した場合を夫々示している。
【考案を実施するための形態】
【００１０】
以下、本考案を実施するための形態について、図面を参照して説明する。
【００１１】
図中、１は前面下方に向けて傾斜して設けた保持板であり、これには楕円形の透孔２が穿設してあり、上方の筆記具保持部を構成するものである。この保持板１は消費者・需要者が筆記具を展示用什器に戻すときに、後記水平の保持板に穿設した下方の透孔を視認し易いように透明とすることが望ましい。３は前記上方の筆記具保持部の下方に水平に設けた保持板であり、これには小径部４′と大径部４″を連続させた透孔４を穿設してある。これにより、消費者・需要者がこれら筆記具５を手に取りデザイン・商標の確認、書き味の試し書き等をして後、再び元の位置に戻したとき、筆記具の先端部５′が小径部４′に入った後、必ず大径部４″に移動するようになすことができ、筆記具５の先端部５′を傷つけることなく、常に垂直に直立するように保持することができるものである。
【００１２】
次に、上記実施形態の作用について説明する。
先ず、店頭において消費者・需要者が筆記具５を手に取り、デザイン・商標の確認、書き味の試し書き等をして後、再び保持板１の元の位置、即ち上方の筆記具保持部としての楕円形の透孔２内に入れる。そのとき、筆記具５の先端部は下方の筆記具保持部としての水平の保持板３の小径部４′に入る。ところが、筆記具５の胴部が上方の筆記具保持部としての楕円形の透孔２により、常に筆記具５を直立する方向へと移動させ、筆記具５の先端部５′を大径部４″へと移動させる。これにより、筆記具５の先端部５′は大径部４″内に入り込んで筆記具先端の大径部が保持され、もって常に筆記具５を垂直に起立させることができるから、見栄えをよくして展示効果を上げることができ、購買意欲を駆り立てることができるものである。
【符号の説明】
【００１３】
１  前面下方に向けて傾斜させて設けた保持板
２  保持板１に穿設した楕円形の透孔
３  保持板１の下方に設けた水平の保持板
４  下方の保持板３に穿設した透孔
４′  下方の透孔４の小径部
４″  下方の透孔４の大径部
５  筆記具
５′  筆記具５の先端部
【図１】
0003151365.tif 000003
【図２】
0003151365.tif 000004
【手続補正書】
【提出日】平成21年4月13日(2009.4.13)
【手続補正１】
【補正対象書類名】実用新案登録請求の範囲
【補正対象項目名】全文
【補正方法】変更
【補正の内容】
【実用新案登録請求の範囲】
【請求項１】
上方の筆記具保持部を前面下方に向けて傾斜した保持板１に穿設した楕円形の透孔２により構成し、下方の筆記具保持部を、前記上方の筆記具保持部の下方に配した水平の保持板３に穿設した小径部４′と大径部４″とを連続させた透孔４として構成したことを特徴とする筆記具展示用什器。
【請求項２】
前記保持板１を透明としたことを特徴とする請求項１に記載の筆記具展示用什器。